(57)【要約】【課題】    建物の棟とか、建物の外装部とかに照明器具を設けた構造がある。しかしながら、本発明が意図する万十軒瓦、万十切隅瓦等の瓦に、取付けができる照明でない。また、本発明の如く、安心して施工ができず、かつ瓦の改良とは云えず、瓦の需要の喚起に関しては、期待できないと考えられる。【解決手段】    本発明は、万十軒瓦等の照明瓦であり、照明瓦の瓦本体の頭側から突出する万十と、万十に設けた瓦本体の流れ方向に設けた孔と、孔内に支持されるＬＥＤの照明具と、照明具の先端に設けたカバーレンズと、である構成であり、瓦は多機能を備える。街の景観と、街の灯りの確保、又は防犯確保等に役立つ。瓦に新たな需要を喚起できる。【選択図】      図８−１
2017137626.tif 000002
【特許請求の範囲】
【請求項１】
万十軒瓦、万十切隅瓦、廻り隅瓦、又は軒巴瓦万十の何れかに使用できるであって、
この瓦本体の頭側から突出するように設けた万十と、
この万十に設け、かつ前記瓦本体の流れ方向に設けた孔と、
この孔内に支持されるＬＥＤ、電球の何れか一つの照明具と、
この照明具の先端に設けたカバーレンズと、
で構成した照明瓦。
【請求項２】
前記万十軒瓦は、多数の同万十軒瓦の内の複数の万十軒瓦のみに、前記照明具を設けた構成とした請求項１に記載の照明瓦。
【請求項３】
前記カバーレンズは、透明平板形状か、又は透明アクリル半球形状の何れか一つの形状とする構成とした請求項１に記載の照明瓦。
【請求項４】
前記万十の孔の前側と、前記カバーレンズの後側との間に、シリコンゴム、その他のゴム板の何れか一つの緩衝材を備える構成とした請求項１に記載の照明瓦。
【発明の詳細な説明】
【技術分野】
【０００１】
本発明は、街の景観と、街の灯りの確保、又は防犯確保等に役立つ照明瓦であり、必要箇所における電柱の代替が可能となる照明瓦に関する。
【背景技術】
【０００２】
本発明は、瓦に多機能を付与し、前述の目的達成とともに、瓦に新たな需要を喚起することにある。さらには、万十軒瓦、万十切隅瓦、廻り隅瓦、又は軒巴瓦万十の何れかの瓦に、取付けができる照明であって、安心して施工ができ、かつ前述の目的が達成できる実用性および有益性を備えている。
【０００３】
本発明が意図する照明瓦と関連性が考えられる先行文献を列挙する。先ず、屋根に関する発明として、特開２０１４−１９８９８１号公報に記載の「耐震棟」において（文献（１））、棟の両側面に照明具を取付けることが開示されており、明細書の言葉を借りれば、情報媒体とか、ライトアップとかに活用することにある。また、特開２０１５−１４０６４４号公報に記載の「建物」において（文献（２））、建物の外装部に照明装置を付設し、例えば、屋根輪郭線に沿ったライン状に照らすことを特徴とする。次に、街並みに関する発明として、特開２０１３−２１９９３４号公報に記載の「エクステリア」において（文献（３））、道路と敷地の境界線に、枠組みされた建造物（ゲート構造）を構築し、この建造物に照明装置を取付ける構造であり、建物の外郭周辺の死角を無くすとともに、無柱化を図る。結果として、街並み景観向上を意図する。
【０００４】
【特許文献１】特開２０１４−１９８９８１号公報
【特許文献２】特開２０１５-１４０６４４号公報
【特許文献３】特開２０１３−２１９９３４号公報
【発明の概要】
【発明が解決しようとする課題】
【０００５】
文献（１）においては、棟に照明器具を設けた構造であり、本発明が意図する「照明瓦」とは、目的と構造が異なり、かつ瓦の改良と、瓦の需要の喚起に関しては、期待できないと考えられる。
【０００６】
文献（２）においては、建物の外装部に照明器具を設けた構造であり、本発明が意図する万十軒瓦、万十切隅瓦等の瓦に、取付けができる照明であって、安心して施工ができること、瓦の改良と、瓦の需要の喚起に関しては、期待できないと考えられる。
【０００７】
文献（３）においては、ゲート構造に照明器具を設けた構造であり、前述した文献（１）、及び文献（２）に示した目的と構造の相違とともに、期待できない問題を抱えている。
【課題を解決するための手段】
【０００８】
上記に鑑み、本発明は、瓦に多機能、例えば、街の景観と、街の灯りの確保、又は防犯確保等に役立つ照明瓦の提供と、併せて、瓦に新たな需要を喚起することにある。さらに、本発明の照明具は、万十軒瓦、万十切隅瓦、廻り隅瓦、又は軒巴瓦万十の何れかの瓦に、取付けができること、併せて、安心して施工ができること、等の如く、実用的で有益性な構造である。
【発明の効果】
【０００９】
請求項１の発明は、万十軒瓦、万十切隅瓦、廻り隅瓦、又は軒巴瓦万十の何れかに使用できる照明瓦であって、
照明瓦の瓦本体の頭側から突出するように設けた万十と、
万十に設け、かつ瓦本体の流れ方向に設けた孔と、
孔内に支持されるＬＥＤ、電球の何れか一つの照明具と、
照明具の先端に設けたカバーレンズと、
で構成したことにより、瓦に多機能、例えば、街の景観と、街の灯りの確保、又は防犯確保等に役立つ照明瓦の提供と、併せて、瓦に新たな需要を喚起することができる。さらに、請求項１では、万十軒瓦、万十切隅瓦、廻り隅瓦、又は軒巴瓦万十の何れかの瓦に、取付けができること、併せて、安心して施工ができること、等の如く、実用的で有益な構造の照明瓦を提供できる。
【００１０】
請求項２の発明は、万十軒瓦は、多数の同万十軒瓦の内の複数の万十軒瓦のみに、照明具を設けた構成とした照明瓦であり、請求項１に記載の特徴と、軒先に適度の明るさを確保できる。
【００１１】
請求項３の発明は、カバーレンズは、透明平板形状か、又は透明アクリル半球形状の何れか一つの形状とする構成とした照明瓦であり、請求項１に記載の特徴と、照明具の保護と、照射の明るさを確保できる。
【００１２】
請求項４の発明は、万十の孔の前側と、カバーレンズの後側との間に、シリコンゴム、その他のゴム板の何れか一つの緩衝材を備える構成とした照明瓦であり、請求項１に記載の特徴と、照明具の保護と、照射の明るさを確保できる。
【図面の簡単な説明】
【００１３】
【図１】一般住宅の屋根の一部と、万十軒瓦及び照明瓦とを示した仰視図
【図２】社寺仏閣の屋根の一部と、万十軒瓦及び照明瓦とを示した仰視図
【図３−１】万十軒瓦を模した（ベースとした）照明瓦の頭側からの正面図
【図３−２】図３−１の平面図
【図３−３】図３−１の側面図
【図４−１】照明瓦を葺設する際のその他の（照明瓦を含まない、通常の）万十軒瓦の頭側からの正面図
【図４−２】図４−１の平面図
【図４−３】図４−１の側面図
【図５】照明瓦と、万十軒瓦とを葺設する際の状態を示した平面図
【図６−１】軒巴瓦万十を模した（ベースとした）照明瓦の頭側からの正面図
【図６−２】図６−１の平面図
【図６−３】図６−１の側面図
【図７】照明瓦と、軒瓦とを葺設する際の状態を示した平面図
【図８−１】照明瓦に照明具（ＬＥＤ）が点灯した状態を示した模式図
【図８−２】照明瓦に照明具が点灯した別の角度からの状態を示した模式図
【発明を実施するための形態】
【００１４】
以下、本発明の一実施例を説明する。
【００１５】
図３−１〜図３−３に示した、万十軒瓦Ａを模した照明瓦Ａ１を説明すると、和形形状の万十軒瓦Ａは、略方形状の後述する棧側と尻側に切込みを有する瓦本体１と、瓦本体１の頭側１Ａに設けた万十１００と、後述する瓦本体１の表面に設けた水返しと、その他として引掛け片等で構成されている。この照明瓦Ａ１の瓦本体１の万十１００（万十１００の肉厚部）に後述する照明具を取付ける孔２を、この尻側１Ｂより頭側１Ａに向かって（雨水の流れ方向に）開設する。万十１００は、葺合せと軒先Ｈ１の美感とを考慮して、棧側１Ｃを突出した構造とする。図中１Ｄは瓦本体１の差込み側を示す。
【００１６】
照明具３は、先端に位置する電球３００（ＬＥＤ）と、本体部３０１（支持部、コネクタ等を含む）、及びコード３０２と、カバーレンズ３０３、冷却部等で、万十１００の肉厚部に設けた孔２には、本体部３０１が嵌合され、この孔２の前面（頭側１Ａ）に向かって、カバーレンズ３０３と電球３００とが突出する。尚、電球３００は、透明平板形状か、又は透明アクリル半球形状でなるカバーレンズ３０３で囲繞される。また、本体部３０１、及びコード３０２は、孔２の後面（尻側１Ｂ）に向かって設けられており、瓦本体１の裏面１Ｅに添設されるように支持される。照明具３の必要とする器材の一部は、孔２に挿設されるが、その他の部分は、図３−３に示した想像線Ｘの如く、瓦本体１の裏面１Ｅより幾分突出した状態となる。図７に示したように、万十１００の前側（頭側１Ａの方向）とカバーレンズ３０３の後側（尻側１Ｂの方向）との間に、シリコンゴム、その他のゴム板の何れか一つの緩衝材４を備える。また、孔２には、一基〜数基の照明具３を設けるとか、一基の照明具３には、一灯、又は複数灯の電球３００を設けることも有り得る。照明具３は家紋との併設も有り得る。さらに孔２は、家紋付きで、かつ照明具３を取付けた万十専用瓦（板材）を差込み支持する構造も有り得る。
【００１７】
尚、コード３０２は、図示しない建屋の適所に設けた制御部、及び／又は、電源部等に接続される。
【００１８】
万十軒瓦Ａの好ましい一例は、図４−１〜図４−３に示してあるので、以下、説明する。基本的な構造は、照明瓦Ａ１と同じであり、その相違点を説明すると、前記照明瓦Ａ１との葺設の際に関して、前述の如く、照明具３の器材の一部が、想像線Ｘの如く、瓦本体１の裏面１Ｅに突出することより、そのための手当てとして、図５に示したように、万十軒瓦Ａの瓦本体１−１の頭側１−１Ａと差込み側１−１Ｄとの隅角部１０１−１に切欠き部Ａ−２を造る。この切欠き部Ａ−２により、照明具３の器材の一部（照明具３の一部とする）が、万十軒瓦Ａの瓦本体１−１の少なくとも表面１−１Ｆの隅角部１０１−１に衝止することなく、想像線Ｘを受け入れできる。即ち、照明具３の他の一部（突出した想像線Ｘ）の逃げが形成されている。この万十軒瓦Ａの切欠き部Ａ−２には水返し突条Ａ−３（後述する水返し突条５Ａに繋がれる）を設ける（突設する）。尚、その他の水返し突条５、５Ａは、瓦本体１、１−１の表面１F、１−１Fの所定の箇所に設けられる。図中１００−１は万十である。
【００１９】
図５に示した、照明瓦Ａ１と万十軒瓦Ａの葺設状態では、照明瓦Ａ１の瓦本体１の棧側１Ｃの下側に、万十軒瓦Ａの瓦本体１−１の差込み側１−１Ｄが差込まれるが（他の葺き方では、万十軒瓦Ａの瓦本体１−１の差込み側１−１Ｄに、照明瓦Ａ１の瓦本体１の棧側１Ｃが重畳されるが）、照明具３の一部は、その切欠き部Ａ−２があることで、支障なく差込みができて（重畳できて）、図１と図２とに示したように、通常の葺設ができる。照明瓦Ａ１は、色々な形状で葺設されるが、一般的には、軒先Ｈ１の両端の一枚内側で、照明の明るさが視認できる雰囲気が良いか、景観とか防犯、又は道しるべ等を考慮した例では、数を増やす葺設が望ましい。
【００２０】
万十切隅瓦、廻り隅瓦は、この万十軒瓦Ａと、その照明瓦Ａ１とに準ずる。
【００２１】
図６−１〜図６−３に示した、軒巴瓦万十Ｂを模した照明瓦Ｂ１を説明する。まず、軒巴瓦万十Ｂは、全体視して半截（輪切り）筒形とした瓦本体６と、この瓦本体６の一端に設けた万十６００と、他方側の差込み片６０１とで構成される。そして照明瓦Ｂ１は、この万十６００に、他方側６００Ｂ（尻側）から一方側６００Ａ（頭側）に前述と同様に孔２を開設してあり、この孔２への照明具３の挿設、さらに想像線Ｘとか、仕組み等は、照明瓦Ａ１に準ずる。尚、この一例では、想像線Ｘは、原則として、万十６００内に収まる構造である。従って、この一例では、他の巴瓦Ｂ２は、軒巴瓦万十Ｂ、及び照明瓦Ｂ１の尻側に葺設される瓦であり、軒巴瓦万十Ｂの万十が無く、代わりに重ね部がある形態である。以下、この巴瓦Ｂ２に関して使用する符号は、照明瓦Ｂ１、及び／又は、軒巴瓦万十Ｂの符号に準ずる。尚、この一例では、想像線Ｘ（照明具３の器材の一部を収めるスペース）は、原則として、万十６００内に収まる構造である。従った、この一例では、他の軒巴瓦Ｂに細工する必要性は少ない。しかし、葺設時には、他の巴瓦Ｂ２とか、平瓦とか、軒瓦（図示せず）、葺き土等を要する。
【００２２】
この例の軒巴瓦万十Ｂ、照明瓦Ｂ１、及び巴瓦Ｂ２の構造、葺設等は、平瓦との葺設による本葺き（図２参照）とか、廻り棟等の棟瓦、隅巴瓦等への採用も可能である。
【００２３】
以上の各実施例は、陶器瓦に関して説明したが、本発明は、他の素材の瓦、例えば、金属屋根材、スレート瓦、セメント瓦等への採用もできる。
【００２４】
図２に示した、照明瓦Ｂ１と巴瓦Ｂ２の葺設状態では、照明瓦Ｂ１、又は軒巴瓦万十Ｂの瓦本体６の他方側６００Ｂの差込み片６０１の上方には、棟側の巴瓦Ｂ２の瓦本体６の一方側６００Ａの重ね部が葺設される。このように葺設は図示、及び／又は、説明はしないが、通常の葺設ができる。
【００２５】
そして、本発明の特徴は、図８−１と図８−２に示したように、夜間に照明瓦Ａ１が点灯し、軒先には、ポッとした明かりが灯って、優しく、かつ暗闇を照らしており、安心感と、何とも云えぬ落着きがある。そして、例えば、従来の街灯と遜色ない明かりを確保できる。また、交通安全確保と人の往来を惹起できること等の特徴と、町並み保存と観光に有益である。さらには、点灯しない万十軒瓦Ａとのコントラストも見栄えがする。
【００２６】
以上で説明した各実施例は、好ましい一例を示したものであり、同様な効果と特徴を有する他の構造、手段は、本発明の範疇である。
【符号の説明】
【００２７】
Ａ  万十軒瓦万十軒瓦
１−１  瓦本体
１−１Ａ  頭側
１−１Ｂ  尻側
１−１Ｃ  棧側
１−１Ｄ  差込み側
１−１Ｅ  裏面
１−１Ｆ  表面
１００−１  万十
１０１−１  隅角部
Ａ１  照明瓦
Ａ−２  切欠き部
Ａ−３  水返し突条
１  瓦本体      １Ａ  頭側
１Ｂ  尻側
１Ｃ  棧側
１Ｄ  差込み側
１Ｅ  裏面
１Ｆ  表面
１００  万十
２  孔
３  照明具
３００  電球
３０１  本体部
３０２  コード
３０３  カバーレンズ
４  緩衝材
５  水返し突条
５Ａ  水返し突条
Ｂ  軒巴瓦万十
Ｂ１  照明瓦
Ｂ２  巴瓦
６  瓦本体
６００  万十
６００Ａ  一方側
６００Ｂ  他方側
６０１  差込み片
Ｈ１  軒先
Ｘ  想像線
【図１】
2017137626.tif 000003
【図２】
2017137626.tif 000004
【図３−１】
2017137626.tif 000005
【図３−２】
2017137626.tif 000006
【図３−３】
2017137626.tif 000007
【図４−１】
2017137626.tif 000008
【図４−２】
2017137626.tif 000009
【図４−３】
2017137626.tif 000010
【図５】
2017137626.tif 000011
【図６−１】
2017137626.tif 000012
【図６−２】
2017137626.tif 000013
【図６−３】
2017137626.tif 000014
【図７】
2017137626.tif 000015
【図８−１】
2017137626.tif 000016
【図８−２】
2017137626.tif 000017